(57)【要約】      （修正有）【課題】  リモート振替ジョブとローカルプリントジョブとリモートプリントジョブの履歴を同じジョブリスト画面内で分類して表示し管理者がジョブ履歴を容易に把握できるようにする。【解決手段】  ローカルコピー中にトラブルが発生した場合に、リモートプリンタへ振替プリントするリモート振り替え手段、ローカルプリント手段、リモートプリント手段、上記手段のジョブの詳細情報をジョブ一覧画面内で区別して表示できるジョブ履歴表示手段を有する。【選択図】  図２１
2006196975.tif 000002
【特許請求の範囲】
【請求項１】
原稿画像を読み取る画像入力手段と前記画像入力手段で読み取った画像データを記録紙に出力する第一の画像出力手段を備える画像形成装置と、
前記画像形成装置と通信媒体を介して接続され、前記画像入力手段で読み取った画像データを受信して記録紙に出力する第二の画像出力手段を備える複数のリモートプリンタとで構成される画像形成システムであって、
前記画像入力手段で読み取った画像データを前記第一の画像出力手段で出力中に何らかの原因で出力できなくなった場合に、前記画像データの全部もしくは未出力分のどちらかを操作部から選択し、選択した方をリモートプリンタで振替出力するリモート振替機能を有し、
前記第一の画像出力手段を用いて出力したローカルプリントジョブと前記第二の画像出力手段を用いて出力したリモートプリントジョブと前記第一の画像出力手段と前記第二の画像出力手段で出力したリモート振替ジョブの情報を確認可能なジョブ情報確認手段を有することを特徴とする画像形成システム。
【請求項２】
請求項１記載のジョブ情報確認手段は、ジョブ情報一覧画面を有し、前記ジョブ情報一覧画面中でローカルプリントジョブとリモートプリントジョブとリモート振替ジョブのジョブ情報を分類して表示することを特徴とする請求項１記載の画像形成システム。
【請求項３】
請求項１記載のジョブ情報確認手段は、前記ジョブ情報一覧画面から選択したジョブの詳細情報を表示するジョブ詳細表示機能を有し、選択したジョブがリモート振替ジョブの場合は、ローカルプリント内容と振替分のリモートプリント内容を表示することを特徴とする請求項１記載の画像形成システム。
【発明の詳細な説明】
【技術分野】
【０００１】
本発明は、通信媒体を介した画像形成を行う画像形成装置及び画像形成システム及び画像形成方法に関する。
【背景技術】
【０００２】
近年、オフィス等におけるネットワークの普及に伴い、デジタル複写機やプリンタ等画像形成装置も、ネットワーク接続機能を備えたものが広く利用されてきており、これら画像形成装置を用いてネットワーク経由でプリントやスキャンを行うことが可能な画像形成システムが普及してきている。
【０００３】
このような画像形成システムでは、ある装置で原稿をスキャンし、指定したネットワーク上のプリンタへスキャン画像を送信してプリントすることでコピー動作を行うリモートコピーや、複数のプリンタへスキャン画像を送信してコピーを行う重連コピーなどの動作が可能になっている。また、ローカル機側で蓄積記憶した画像データをリモートプリンタへ送信してプリントを行なうことが可能になっている。リモートコピー受信に指定されるプリンタは、あるネットワーク上の装置からプリントを指示されているときに、別の複数の装置からもリモートプリントの受信を受付けることができ、リモートプリンタ上の記憶装置内でスプールすることにより、複数のプリンタから複数のジョブをプリントすることができている。
【０００４】
一方、ＰＣやＷＳなどのホストからプリンタサーバにＰＤＬデータとプリント動作モードを送信し、プリンタサーバに接続されたプリンタで出力する画像形成システムもあり、プリンタサーバからのＰＤＬデータをあるプリンタで出力中に何らかのトラブルによってプリントを継続できなくなった場合に、プリンタサーバに接続されている他のプリンタへ代替出力することも可能になってきている。
【０００５】
また、リモートコピーや重連コピー機能を有する画像形成システムでは、プリントしたジョブの情報を確認するジョブ情報確認機能を有するものがあり、そこでは、ローカルプリントしたジョブかリモートプリントしたジョブかを確認することができるものがある。
【０００６】
又、別の従来例としては、例えば特許文献１をあげることが出来る。
【特許文献１】特開平９−２１８７６４号公報
【発明の開示】
【発明が解決しようとする課題】
【０００７】
しかしながら、従来のリモートコピーでは原稿をスキャナで読み取る前にリモートプリンタを選択しなければならなかった。そのため、スキャナで読み取った原稿画像データをローカルプリンタで出力（ローカルコピー）中に、用紙無しの発生やジャムが発生したというような場合に、プリントを終えていない画像データをリモートプリンタでプリントすることができず、用紙補給やジャム解除などの処理をしてローカルコピーを再開するか、リモートコピーを使って再スキャンから作業を始めるかしか方法がなく、利便性、生産性に問題がある。また、プリンタサーバを使った代替プリントではスキャンした原稿画像データを扱えないという問題があった。
【０００８】
本発明の第一の目的は、ローカルコピー中にトラブルが発生した場合に、リモートプリンタへ振替プリントすることによって、リモートコピーの機能性を向上させるとともに使用者に対して迅速なプリント環境を提供することにある。また、リモート振替機能においては、ローカル機側でプリントする画像データとリモート機側でプリントする画像データが存在する。従来のような、リモートコピー機能を有する画像形成システムではローカルプリントしたジョブかリモートプリントしたジョブかのみ確認することができたが、前記第一の目的を達する画像形成システムでは、ローカルプリントしたジョブ内容とリモートプリントしたジョブ内容とリモート振替したジョブ内容を区別して表示し、確認できることが必要となる。本発明の第二の目的は、ローカルコピーしたジョブとリモートコピーしたジョブとリモート振替したジョブのジョブ情報を画像形成システム管理者が容易に把握できるようにすることにある。
【課題を解決するための手段】
【０００９】
上記目的を達成するために、本発明の画像処理システムでは、請求項１において、原稿画像を読み取る画像入力手段と前記画像入力手段で読み取った画像データを記録紙に出力する第一の画像出力手段を備える画像形成装置と、前記画像形成装置と通信媒体を介して接続され、前記画像入力手段で読み取った画像データを受信して記録紙に出力する第二の画像出力手段を備える複数のリモートプリンタとで構成される画像形成システムであって、前記画像入力手段で読み取った画像データを前記第一の画像出力手段で出力中に何らかの原因で出力できなくなった場合に、前記画像データの全部もしくは未出力分のどちらかを操作部から選択し、選択した方をリモートプリンタで振替出力するリモート振替機能を有し、前記第一の画像出力手段を用いて出力したローカルプリントジョブと前記第二の画像出力手段を用いて出力したリモートプリントジョブと前記第一の画像出力手段と前記第二の画像出力手段で出力したリモート振替ジョブの情報を確認可能なジョブ情報確認手段を有することを特徴とする画像形成システムを提供し、請求項２において、ジョブ情報一覧画面を有し、前記ジョブ情報一覧画面中でローカルプリントジョブとリモートプリントジョブとリモート振替ジョブのジョブ情報を分類して表示することを特徴とする画像形成システムを提供し、請求項３において、前記ジョブ情報一覧画面から選択したジョブの詳細情報を表示するジョブ詳細表示機能を有し、選択したジョブがリモート振替ジョブの場合は、ローカルプリント内容と振替分のリモートプリント内容を表示することを特徴とする画像形成システムを提供する。
【発明の効果】
【００１０】
従来のリモートコピーでは原稿をスキャナで読み取る前にリモートプリンタを選択しなければならなかった。そのため、スキャナで読み取った原稿画像データをローカルプリンタで出力（ローカルコピー）中に、用紙無しの発生やジャムが発生したというような場合に、プリントを終えていない画像データをリモートプリンタでプリントすることができず、用紙補給やジャム解除などの処理をしてローカルコピーを再開するか、リモートコピーを使って再スキャンから作業を始めるかしか方法がなく、利便性、生産性に問題がある。また、プリンタサーバを使った代替プリントではスキャンした原稿画像データを扱えないという問題があった。本発明において、ローカルコピー中にトラブルが発生した場合に、リモートプリンタへ振替プリントすることによって、リモートコピーの機能性を向上させるとともに使用者に対して迅速なプリント環境を提供することを可能とした。リモート振替機能においては、ローカル機側でプリントする画像データとリモート機側でプリントする画像データが存在する。従来のような、リモートコピー機能を有する画像形成システムではローカルプリントしたジョブかリモートプリントしたジョブかのみ確認することができたが、前記第一の目的を達する画像形成システムでは、ローカルプリントしたジョブ内容とリモートプリントしたジョブ内容とリモート振替したジョブ内容を区別して表示し、確認できることが必要となる。そこで、本発明では、同一のジョブ一覧画面内でローカルプリントしたジョブ内容とリモートプリントしたジョブ内容とリモート振替したジョブ内容を区別して表示するようにし、さらに、ローカルコピーしたジョブとリモートコピーしたジョブとリモート振替したジョブのジョブ詳細情報を詳細画面内で区別して表示できるようにし、画像形成システム管理者が容易にジョブ情報を把握できるようにした。
【発明を実施するための最良の形態】
【００１１】
以下、図面を参照して本発明の実施の形態を説明する。
【００１２】
図１に本実施の形態における画像形成システムのネットワークの全体構成を示す。
【００１３】
１００１はデジタル複合機であり、後述するスキャナとプリンタから構成される。デジタル複合機１００１は、スキャナから読み込んだ画像をローカルエリアネットワーク１０１０（以下ＬＡＮ１０１０）へ送信したり、ＬＡＮ１０１０から受信した画像をプリンタによりプリントアウトすることができる。また、図示しないＦＡＸ送信手段により、スキャナから読んだ画像をＰＳＴＮまたはＩＳＤＮ１０３０へ送信したり、ＰＳＴＮまたはＩＳＤＮ１０３０から受信した画像をプリンタによりプリントアウトすることができる。
【００１４】
１００２は、データベースサーバで、デジタル複合機１００１により読み込んだ２値画像及び多値画像をデータベースとして管理する。１００３は、データベースサーバ１００２のデータベースクライアントで、データベース１００２に保存されている画像データの閲覧／検索等を行うことができる。
【００１５】
１００４は、電子メールサーバで、デジタル複合機１００１により読み取った画像を電子メールの添付として受け取ることができる。１００５は、電子メールのクライアントで、電子メールサーバ１００４の受け取ったメールを受信し閲覧したり、電子メールを送信したりすることができる。１００６はＨＴＭＬ文書をＬＡＮ１０１０に提供するＷＷＷサーバで、デジタル複合機１００１によりＷＷＷサーバ１００６で提供されるＨＴＭＬ文書をプリントアウトできる。
【００１６】
１０１１は、ルータでＬＡＮ１０１０をインターネット／イントラネット１０１２と連結する。インターネット／イントラネットに、前述したデータベースサーバ１００２、ＷＷＷサーバ１００６、電子メールサーバ１００４、デジタル複合機１００１と同様の装置が、１０２０、１０２１、１０２２、１０２３として連結している。一方、デジタル複合機１００１は、ＰＳＴＮまたはＩＳＤＮ１０３０を介して、ＦＡＸ装置１０３１とデータの送受信が可能となっている。また、ＬＡＮ１０１０上にプリンタ１０４０も連結されており、デジタル複合機１００１により読み取った画像をプリントアウト可能なように構成されている。
【００１７】
次に、デジタル複合機１００１のハードウェア全体構成図を図２に示す。コントローラユニット２０００は画像入力デバイスであるスキャナ２０７０や画像出力デバイスであるプリンタ２０９５と接続し、一方ではＬＡＮ２０１１や公衆回線（ＷＡＮ）２０５１接続することで、画像情報やデバイス情報の入出力を行う。
【００１８】
ＣＰＵ２００１はシステム全体を制御するコントローラである。ＲＡＭ２００２はＣＰＵ２００２が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データを格納する。
【００１９】
操作部Ｉ／Ｆ２００６は操作部２０１２とのインターフェース部で、操作部２０１２に表示する画像データを操作部２０１２に対して出力する。また、操作部２０１２から本システム使用者が入力した情報を、ＣＰＵ２００１に伝える役割をする。ネットワーク２０１０はＬＡＮ２０１１に接続し、情報の入出力を行う。モデム２０５０は公衆回線２０５１に接続し、情報の入出力を行う。以上のデバイスがシステムバス２００７上に配置される。
【００２０】
イメージバスＩ／Ｆ２００５はシステムバス２００７と画像データを高速で転送する画像バス２００８を接続し、データ構造を変換するバスブリッジである。画像バス２００８は、ＰＣＩバスまたはＩＥＥＥ１３９４で構成される。画像バス２００８上には以下のデバイスが配置される。ＲＩＰ（ラスターイメージプロセッサ）２０６０はＰＤＬコードをビットマップイメージに展開する。デバイスＩ／Ｆ部２０２０は、画像入出力デバイスであるスキャナ２０７０やプリンタ２０９５とコントローラ２０００を接続し、画像データの同期系／非同期系の変換を行う。
【００２１】
スキャナ画像処理部２０８０は、入力画像データに対し補正、加工、編集を行う。プリンタ画像処理部は、プリント出力画像データに対して、プリンタの補正、解像度変換等を行う。画像回転部２０３０は画像データの回転を行う。画像圧縮部２０４０は、多値画像データはＪＰＥＧ、２値画像画像データはＪＢＩＧ、ＭＭＲ、ＭＨの圧縮伸張処理を行う。
【００２２】
次に、デジタル複合機１００１を構成する画像入出力デバイスを図３に示す。画像入力デバイスであるスキャナ部２０７０は、原稿となる紙上の画像を照明し、ＣＣＤラインセンサ（図示せず）を走査することで、ラスターイメージデータ２０７１として電気信号に変換する。原稿用紙は原稿フィーダ２０７２のトレイ２０７３にセットし、装置使用者が操作部２０１２から読み取り起動指示することにより、コントローラＣＰＵ２００１がスキャナ２０７０に指示を与え、原稿フィーダ２０７２は原稿用紙を１枚ずつフィードし原稿画像の読み取り動作を行う。
【００２３】
また、原稿フィーダ２０７２には、後述する自動用紙選択モードを実現するために必要な原稿サイズ検知センサ（図示せず）が設置されており、セットされた原稿のサイズを検知することができる。
【００２４】
画像出力デバイスであるプリンタ部２０９５は、ラスターイメージデータ２０９６を用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラＣＰＵ２００１からの指示２０９６によって開始する。プリンタ部２０９５には、異なる用紙サイズまたは異なる用紙向きを選択できるように複数の給紙段を持ち、それに対応した用紙カセット２１０１、２１０２、２１０３、２１０４がある。また、排紙トレイ２１１１は印字し終わった用紙を受けるものである。
【００２５】
次に、操作部２０１２の構成を図４に示す。ＬＣＤ表示部２０１３は、ＬＣＤ上にタッチパネルシートが貼られており、システムの操作画面を表示するとともに、表示してあるキーが押されるとその位置情報をコントローラＣＰＵ２００１に伝える。スタートキー２０１４は原稿画像の読み取り動作を開始する時などに用いる。スタートキー２０１４中央部には、緑と赤の２色ＬＥＤ２０１８があり、その色によってスタートキー２０１４が使える状態にあるかどうかを示す。ストップキー２０１５は稼働中の動作を止める働きをする。ＩＤキー２０１６は、使用者のユーザＩＤを入力する時に用いる。リセットキー２０１７は操作部からの設定を初期化する時に用いる。
【００２６】
次に、スキャナ画像処理部２０８０の構成を図５に示す。画像バスＩ／Ｆコントローラ２０８１は、画像バス２００８と接続し、そのバスアクセスシーケンスを制御する働きと、スキャナ画像処理部２０８０内の各デバイスの制御及びタイミングを発生させる。フィルタ処理部２０８２は、空間フィルタでコンボリューション演算を行う。編集部２０８３は、例えば入力画像データからマーカーペンで囲まれた閉領域を認識して、その閉領域内の画像データに対して、影つけ、網掛け、ネガポジ反転等の画像加工処理を行う。変倍処理部２０８４は、読み取り画像の解像度を変える場合にラスターイメージの主走査方向について補間演算を行い拡大、縮小を行う。副走査方向の変倍については、画像読み取りラインセンサ（図示せず）を走査する速度を変えることで行う。テーブル２０８５は、読み取った輝度データである画像データを濃度データに変換するために、行うテーブル変換である。２値化２０８６は、多値のグレースケール画像データを、誤差拡散処理やスクリーン処理によって２値化する。処理が終了した画像データは、再び画像バスコントローラ２０８１を介して、画像バス上に転送される。
【００２７】
次に、プリンタ画像処理部２０９０の構成を図６に示す。画像バスＩ／Ｆコントローラ２０９１は、画像バス２００８と接続し、そのバスアクセスシーケンスを制御する働きと、スキャナ画像処理部２０９０内の各デバイスの制御及びタイミングを発生させる。解像度変換部２０９２は、ネットワーク２０１１あるいは公衆回線２０５１から来た画像データを、プリンタ２０９５の解像度に変換するための解像度変換を行う。スムージング処理部２０９３は、解像度変換後の画像データのジャギー（斜め線等の白黒境界部に現れる画像のがさつき）を滑らかにする処理を行う。
【００２８】
次に、画像圧縮部２０４０の構成を図７に示す。画像バスＩ／Ｆコントローラ２０４１は、画像バス２００８と接続し、そのバスアクセスシーケンスを制御する働き、入力バッファ２０４２・出力バッファ２０４５とのデータのやりとりを行うためのタイミング制御及び、画像圧縮部２０４３に対するモード設定などの制御を行う。以下に画像圧縮処理部２０４０の処理手順を示す。
【００２９】
画像バス２００８を介して、ＣＰＵ２００１から画像バスＩ／Ｆコントローラ２０４１に画像圧縮制御のための設定を行う。この設定により画像バスＩ／Ｆコントローラ２０４１は画像圧縮部２０４３に対して画像圧縮に必要な設定（たとえばＭＭＲ圧縮・ＪＢＩＧ伸長等の）を行う。必要な設定を行った後に、再度ＣＰＵ２００１から画像バスＩ／Ｆコントローラ２０４１に対して画像データ転送の許可を行う。この許可に従い、画像バスＩ／Ｆコントローラ２０４１はＲＡＭ２００２もしくは画像バス２００８上の各デバイスから画像データの転送を開始する。受け取った画像データは入力バッファ２０４２に一時格納され、画像圧縮部２０４３の画像データ要求に応じて一定のスピードで画像を転送する。この際、入力バッファは画像バスＩ／Ｆコントローラ２０４１と、画像圧縮部２０４３両者の間で、画像データを転送できるかどうかを判断し、画像バス２００８からの画像データの読み込み及び、画像圧縮部２０４３への画像の書き込みが不可能である場合は、データの転送を行わないような制御を行う（以後このような制御をハンドシェークと呼称する）。画像圧縮部２０４３は受け取った画像データを、一旦ＲＡＭ２０４４に格納する。これは画像圧縮を行う際には行う画像圧縮処理の種類によって、数ライン分のデータを要するためであり、最初の１ライン分の圧縮を行うためには数ライン分の画像データを用意してからでないと画像圧縮が行えないためである。画像圧縮を施された画像データは直ちに出力バッファ２０４５に送られる。出力バッファ２０４５では、画像バスＩ／Ｆコントローラ２０４１及び画像圧縮部２０４３とのハンドシェークを行い、画像データを画像バスＩ／Ｆコントローラ２０４１に転送する。画像バスＩ／Ｆコントローラ２０４１では転送された圧縮（もしくは伸長）された画像データをＲＡＭ２００２もしくは画像バス２００８上の各デバイスにデータを転送する。こうした一連の処理は、ＣＰＵ２００１からの処理要求が無くなるまで（必要なページ数の処理が終わったとき）、もしくはこの画像圧縮部から停止要求が出るまで（圧縮及び伸長時のエラー発生時等）繰り返される。
【００３０】
次に、画像回転部２０３０の構成を図８に示す。画像バスＩ／Ｆコントローラ２０３１は、画像バス２００８と接続し、そのバスシーケンスを制御する働き、画像回転部２０３２にモード等を設定する制御及び、画像回転部２０３２に画像データを転送するためのタイミング制御を行う。以下に画像回転部の処理手順を示す。
【００３１】
画像バス２００８を介して、ＣＰＵ２００１から画像バスＩ／Ｆコントローラ２０３１に画像回転制御のための設定を行う。この設定により画像バスＩ／Ｆコントローラ２０４１は画像回転部２０３２に対して画像回転に必要な設定（たとえば画像サイズや回転方向・角度等）を行う。必要な設定を行った後に、再度ＣＰＵ２００１から画像バスＩ／Ｆコントローラ２０４１に対して画像データ転送の許可を行う。この許可に従い、画像バスＩ／Ｆコントローラ２０３１はＲＡＭ２００２もしくは画像バス２００８上の各デバイスから画像データの転送を開始する。尚、ここでは３２ｂｉｔをそのサイズとし回転を行う画像サイズを３２×３２（ｂｉｔ）とし、又、画像バス２００８上に画像データを転送させる際に３２ｂｉｔを単位とする画像転送を行うものとする（扱う画像は２値を想定する）。
【００３２】
上述のように、３２×３２（ｂｉｔ）の画像を得るためには、図９に示す様に上述の単位データ転送を３２回行う必要があり、且つ不連続なアドレスから画像データを転送する必要がある。
【００３３】
不連続アドレッシングにより転送された画像データは、読み出し時に所望の角度に回転されているように、ＲＡＭ２０３３に書き込まれる。例えば、９０度反時計方向回転であれば、最初に転送された３２ｂｉｔの画像データを、図１０のようにＹ方向に書き込んでいく。読み出し時にＸ方向に読み出すことで、画像が回転される。
【００３４】
３２×３２（ｂｉｔ）の画像回転（ＲＡＭ２０３３への書き込み）が完了した後、画像回転部２０３２はＲＡＭ２０３３から上述した読み出し方法で画像データを読み出し、画像バスＩ／Ｆコントローラ２０３１に画像を転送する。
【００３５】
回転処理された画像データを受け取った画像バスＩ／Ｆコントローラ２０３１は、連続アドレッシングを以て、ＲＡＭ２００２もしくは画像バス２００８上の各デバイスにデータを転送する。
【００３６】
こうした一連の処理は、ＣＰＵ２００１からの処理要求が無くなるまで（必要なページ数の処理が終わったとき）繰り返される。
【００３７】
次に、デバイスＩ／Ｆ部２０２０の構成を図１１に示す。画像バスＩ／Ｆコントローラ２０２１は、画像バス２００８と接続し、そのバスアクセスシーケンスを制御する働きと、デバイスＩ／Ｆ部２０２０内の各デバイスの制御及びタイミングを発生させる。また、外部のスキャナ２０７０及びプリンタ２０９５への制御信号を発生させる。スキャンバッファ２０２２は、スキャナ２０７０から送られてくる画像データを一時保存し、画像バス２００８に同期させて画像データを出力する。シリアルパラレル・パラレルシリアル変換２０２３は、スキャンバッファ２０２２に保存された画像データを順番に並べて、あるいは分解して、画像バス２００８に転送できる画像データのデータ幅に変換する。パラレルシリアル・シリアルパラレル変換２０２４は、画像バス２００８から転送された画像データを分解して、あるいは順番に並べて、プリントバッファ２０２５に保存できる画像データのデータ幅に変換する。プリントバッファ２０２５は、画像バス２００８から送られてくる画像データを一時保存し、プリンタ２０９５に同期させて画像データを出力する。
【００３８】
次に、デバイスＩ／Ｆ２０２０の画像スキャン時の処理手順を以下に示す。まず、スキャナ２０７０から送られてくる画像データをスキャナ２０７０から送られてくるタイミング信号に同期させて、スキャンバッファ２０２２に保存する。
【００３９】
そして、画像バス２００８がＰＣＩバスの場合には、バッファ内に画像データが３２ビット以上入ったときに、画像データを先入れ先出しで３２ビット分、バッファからシリアルパラレル・パラレルシリアル変換２０２３に送り、３２ビットの画像データに変換し、画像バスＩ／Ｆコントローラ２０２１を通して画像バス２００８上に転送する。また、画像バス２００８がＩＥＥＥ１３９４の場合には、バッファ内の画像データを先入れ先出しで、バッファからシリアルパラレル・パラレルシリアル変換２０２３に送り、シリアル画像データに変換し、画像バスＩ／Ｆコントローラ２０２１を通して画像バス２００８上に転送する。
【００４０】
次に、デバイスＩ／Ｆ２０２０の画像プリント時の処理手順を以下に示す。画像バス２００８がＰＣＩバスの場合には、画像バスから送られてくる３２ビットの画像データを画像バスＩ／Ｆコントローラ２０２１で受け取り、パラレルシリアル・シリアルパラレル変換２０２４に送り、プリンタ２０９５の入力データビット数の画像データに分解し、プリントバッファ２０２５に保存する。また、画像バス２００８がＩＥＥＥ１３９４の場合には、画像バスからおくられてくるシリアル画像データを画像バスＩ／Ｆコントローラで受け取り、パラレルシリアル・シリアルパラレル変換２０２４に送り、プリンタ２０９５の入力データビット数の画像データに変換し、プリントバッファ２０２５に保存する。そして、プリンタ２０９５から送られてくるタイミング信号に同期させて、バッファ内の画像データを先入れ先出しで、プリンタ２０９５に送る。
【００４１】
次に、デジタル複合機１００１において動作するソフトウェアの全体構成を図１２のソフトウエアブロック図を用いて説明する。
【００４２】
１５０１はユーザインターフェイス（ＵＩ）を司るものであり、オペレータが本複合機の各種操作・設定を行う際、機器との仲介を行うモジュールである。ユーザインターフェイス１５０１は、オペレータの操作に従い、後述の各種モジュールに入力情報を転送し処理の依頼、或いはデータの設定等を行う。
【００４３】
１５０２はアドレスブック（Ａｄｄｒｅｓｓ−Ｂｏｏｋ）であり、データの送付先、通信先等を管理するデータベースモジュールである。アドレスブック１５０２の内容は、ユーザインターフェイス１５０１からの操作によりデータの追加、削除、取得が行われ、オペレータの操作により後述の各モジュールにデータの送付・通信先情報を与えるものとして使用される。
【００４４】
１５０３はウェブサーバ（Ｗｅｂ−Ｓｅｒｖｅｒ）モジュールであり、図外のＷｅｂクライアントからの要求により、デジタル複合機１００１の管理情報を通知するために使用される。管理情報は、後述のＡＰＩ制御部（Ｃｏｎｔｒｏｌ−ＡＰＩ）１５１８を介して読み取られ、後述のＨＴＴＰ１５１２、ＴＣＰ／ＩＰ１５１６、ネットワークドライバ（Ｎｅｔｗｏｒｋ−Ｄｒｉｖｅｒ）１５１７を介してＷｅｂクライアントに通知される。
【００４５】
１５０４は同報配信（Ｕｎｉｖｅｒｓａｌ−Ｓｅｎｄ）であり、データの配信を司るモジュールであり、ユーザインターフェイス１５０１によりオペレータに指示されたデータを、同様に指示された通信（出力）先に配布するものである。また、オペレータにより、本機器のスキャナ機能を使用し配布データの生成が指示された場合は、後述のＡＰＩ制御部１５１８を介して機器を動作させ、データの生成を行う。
【００４６】
１５０５は同報配信１５０４内で出力先にプリンタが指定された際に実行されるモジュール、Ｐ５５０である。
【００４７】
１５０６は同報配信１５０４内で通信先にＥ−ｍａｉｌアドレスが指定された際に実行されるモジュール、Ｅメールである。
【００４８】
１５０７は同報配信１５０４内で出力先にデータベースが指定された際に実行されるモジュール、ＤＢである。
【００４９】
１５０８は同報配信１５０４内で出力先に本機器と同様のデジタル複合機が指定された際に実行されるモジュール、ＤＰである。
【００５０】
１５０９はリモートコピースキャン（Ｒｅｍｏｔｅ−Ｃｏｐｙ−Ｓｃａｎ）モジュールであり、デジタル複合機１００１のスキャナ機能を使用し、ネットワーク等で接続された他のデジタル複合機を出力先とし、デジタル複合機１００１単体で実現しているコピー機能と同等の処理を行うモジュールである。
【００５１】
１５１０はリモートコピープリント（Ｒｅｍｏｔｅ−Ｃｏｐｙ−Ｐｒｉｎｔ）モジュールであり、デジタル複合機１００１のプリンタ機能を使用し、ネットワーク等で接続された他の複合機を入力先とし、デジタル複合機１００１で実現しているコピー機能と同等の処理を行うモジュールである。
【００５２】
１５１１はウェブプルプリント（Ｗｅｂ−Ｐｕｌｌ−Ｐｒｉｎｔ）モジュールであり、インターネットまたはイントラネット上の各種ホームページの情報を読み出し、印刷するモジュールである。
【００５３】
１５１２はデジタル複合機１００１がＨＴＴＰにより通信する際に使用されるモジュールであり、後述のＴＣＰ／ＩＰ１５１６モジュールにより前述のウェブサーバ１５０３、ウェブプルプリント１５１１モジュールに通信を提供するものである。
【００５４】
１５１３はｌｐｒモジュールであり、後述のＴＣＰ／ＩＰ１５１６モジュールにより前述の同報配信１５０４内のプリンタモジュール１５０５に通信を提供するものである。
【００５５】
１５１４はＳＭＴＰモジュールであり、後述のＴＣＰ／ＩＰ１５１６モジュールにより前述の同報配信１５０４内のＥメールモジュール１５０６に通信を提供するものである。
【００５６】
１５１５はＳＬＭ（Ｓａｌｕｔａｔｉｏｎ−Ｍａｎａｇｅｒ）モジュールであり、後述のＴＣＰ／ＩＰ１５１６モジュールにより前述の同報配信１５０４内のデータベースモジュール１５１７、ＤＰモジュール１５１８、及びリモートコピースキャン１５０９モジュール、リモートコピープリント１５１０モジュールに通信を提供するものである。
【００５７】
１５１６はＴＣＰ／ＩＰ通信モジュールであり、前述の各種モジュールに後述のネットワークドライバ１５１７によりネットワーク通信を提供するものである。
【００５８】
１５１７はネットワークドライバであり、ネットワークに物理的に接続される部分を制御するものである。
【００５９】
１５１８はＡＰＩ制御部であり、同報配信１５０４等の上流モジュールに対し、後述のジョブマネージャ（Ｊｏｂ−Ｍａｎａｇｅｒ）１５１９等の下流モジュールとのインターフェイスを提供するものであり、上流、及び下流のモジュール間の依存関係を軽減しそれぞれの流用性を高めるものである。
【００６０】
１５１９はジョブマネージャ（Ｊｏｂ−Ｍａｎａｇｅｒ）であり、前述の各種モジュールよりＡＰＩ制御部１５１８を介して指示される処理を解釈し、後述の各モジュールに指示を与えるものである。また、本モジュールは、デジタル複合機１００１内で実行されるハード的な処理を一元管理するものである。
【００６１】
１５２０はコーデックマネージャ（ＣＯＤＥＣ−Ｍａｎａｇｅｒ）であり、ジョブマネージャ１５１９が指示する処理の中でデータの各種圧縮・伸長を管理・制御するものである。
【００６２】
１５２１はＦＢＥエンコーダ（ＦＢＥ−Ｅｎｃｏｄｅｒ）であり、ジョブマネージャ１５１９、スキャンマネージャ（Ｓｃａｎ−Ｍａｎａｇｅｒ）１５２４により実行されるスキャン処理により読み込まれたデータをＦＢＥフォーマットにより圧縮するものである。
【００６３】
１５２２はＪＰＥＧコーデック（ＪＰＥＧ−ＣＯＤＥＣ）であり、ジョブマネージャ１５１９、スキャンマネージャ１５２４により実行されるスキャン処理、及びプリントマネージャ（Ｐｒｉｎｔ−Ｍａｎａｇｅｒ）１５２６により実行される印刷処理において、読み込まれたデータのＪＰＥＧ圧縮及び印刷データのＪＰＥＧ展開処理を行うものである。
【００６４】
１５２３はＭＭＲコーデック（ＭＭＲ−ＣＯＤＥＣ）であり、ジョブマネージャ１５１９、スキャンマネージャ１５２４により実行されるスキャン処理、及びプリントマネージャ１５２６により実行される印刷処理において、読み込まれたデータのＭＭＲ圧縮及び印刷データのＭＭＲ伸長処理を行うものである。
【００６５】
１５２４はスキャンマネージャ（Ｓｃａｎ−Ｍａｎａｇｅｒ）であり、ジョブマネージャ１５１９が指示するスキャン処理を管理・制御するものである。
【００６６】
１５２５はＳＣＳＩドライバであり、スキャンマネージャ１５２４とデジタル複合機１００１が内部的に接続しているスキャナ部との通信を行うものである。
【００６７】
１５２６はプリントマネージャ（Ｐｒｉｎｔ−Ｍａｎａｇｅｒ）であり、ジョブマネージャ１５１９が指示する印刷処理を管理・制御するものである。
【００６８】
１５２７はエンジンインターフェイス（Ｅｎｇｉｎｅ−Ｉ／Ｆ）ドライバであり、プリントマネージャ１５２６と印刷部とのＩ／Ｆを提供するものである。
【００６９】
１５２８はパラレルポートドライバであり、ウェブプルプリント１５１１がパラレルポートを介して図外の出力機器にデータを出力する際のＩ／Ｆを提供するものである。
【００７０】
以下、本発明の組み込みアプリケーションの実施の形態について図面を用いて説明する。
【００７１】
図１３は、本実施の形態における画像の配信に関する組み込みアプリケーションブロックを表すものである。
【００７２】
４０５０は、図１２で説明した本実施の形態の操作部のＵＩ（Ｕｓｅｒ  Ｉｎｔｅｒｆａｃｅ）アプリケーションを示すブロックである。４１００は、リモートコピーアプリケーションの送信側を示すブロック図である。４１５０は、同報配信（Ｕｎｉｖｅｒｓａｌ  Ｓｅｎｄ）の送信側を示すブロック図である。４２００は、ウェブプルプリント（Ｗｅｂ  Ｐｕｌｌ  Ｐｒｉｎｔ）モジュールを示すブロック図である。４２５０は、ウェブサーバ（Ｗｅｂ  Ｓｅｒｖｅｒ）モジュールを示すブロック図である。
【００７３】
４３００は、リモートコピーの受信側（プリント側）を示すブロック図である。４３５０は、同報配信で送信されてきたイメージを汎用のプリンタで受信・プリントするブロック図である。４４００は、リモートプリントの受信側（プリント側）を示すブロック図である。４４５０は、同報配信で送信されてきたイメージを公知のノーツサーバ（Ｎｏｔｅｓ  Ｓｅｒｖｅｒ）で受信・格納するブロック図である。
【００７４】
４５００は、同報配信で送信されてきたイメージを２値のイメージを受信・格納するブロック図である。４５５０は、同報配信で送信されてきたイメージを公知のメールサーバ（Ｍａｉｌ  Ｓｅｒｖｅｒ）で受信・格納するブロック図である。４６００は、同報配信で送信されてきたイメージを多値のイメージを受信・格納するブロック図である。４６５０は、情報コンテンツを含んだ、公知のウェブサーバ（Ｗｅｂ  Ｓｅｒｖｅｒ）を示す図である。４７００は、本発明のウェブサーバなどにアクセスする公知のウェブブラウザ（Ｗｅｂ  Ｂｒｏｗｓｅｒ）を示す図である。以下、それぞれのブロックに照らし合わせながら、アプリケーション群の説明を詳細に行う。
【００７５】
まず、ＵＩ（Ｕｓｅｒ  Ｉｎｔｅｒｆａｃｅ）アプリケーション４０５０について説明する。
【００７６】
４０５０ブロックに示したＵＩの詳細は、前記したとおりであるが、ここでは、４０５１のアドレスブック（Ａｄｄｒｅｓｓ  Ｂｏｏｋ）について説明する。アドレスブック４０５１は、デジタル複合機１００１内の不揮発性の記憶装置（不揮発性メモリやハードディスクなど）に保存されており、この中には、ネットワークに接続された機器の特徴が記載されている。例えば、以下に列挙するようなものが含まれている。
【００７７】
（ａ）機器の正式名やエイリアス名
（ｂ）機器のネットワークアドレス
（ｃ）機器の処理可能なネットワークプロトコル
（ｄ）機器の処理可能なドキュメントフォーマット
（ｅ）機器の処理可能な圧縮タイプ
（ｆ）機器の処理可能なイメージ解像度
（ｇ）プリンタ機器の場合の給紙可能な紙サイズ、給紙段情報
（ｈ）サーバ（コンピュータ）機器の場合のドキュメントを格納可能なフォルダ名
さらに、リモートコピーアプリケーション４１００、同報配信アプリケーション４１５０、ウェブサーバアプリケーション４２５０、ウェブプルプリントアプリケーション４２００は、アドレスブック４０５１に記載された情報により配信先の特徴を判別することが可能となる。また、アドレスブック４０５１は、編集可能であると共に、ネットワーク内のサーバコンピュータなどに保存されているものをダウンロードして使用する、または、直接参照することも可能である。上述の各アプリケーションについて詳細に説明する。
【００７８】
リモートコピーアプリケーション４１００は、配信先に指定された機器の処理可能な解像度情報をアドレスブック４０５１より判別し、それに従い、スキャナにより読みとった画像２値画像を公知のＭＭＲ圧縮を用いて圧縮し、それを公知のＴＩＦＦ（Ｔａｇｇｅｄ  Ｉｍａｇｅ  Ｆｉｌｅ  Ｆｏｒｍａｔ）化し、ＳＬＭ４１０３に通して、ネットワーク上のプリンタ機器に送信する。ＳＬＭ４１０３とは、詳細には説明しないが、公知のサルテーションマネージャ（Ｓａｌｕｔａｔｉｏｎ  Ｍａｎａｇｅｒ）と呼ばれる機器制御情報などを含んだネットワークプロトコルの一種であり、スマートリンクマネージャ（Ｓｍａｒｔ  Ｌｉｎｋ  Ｍａｎａｇｅｒ）とも呼ばれる。
【００７９】
同報配信アプリケーション４１５０は、リモートコピーアプリケーション４１００と違い、一度の画像走査で複数の配信宛先に画像を送信する事が可能である。また、配信先もプリンタ機器にとどまらず、いわゆるサーバコンピュータにも直接配信可能である。以下、配信先に従って順に説明する。
【００８０】
配信先の機器が公知のネットワークプリンタプロトコルであるＬＰＤ（Ｌｉｎｅ  Ｐｒｉｎｔｅｒ  Ｄａｅｍｏｎ）、プリンタ制御コマンドを処理可能だとアドレスブック４０５１より判別した場合、同様にアドレスブック４０５１より判別した画像解像度に従って画像読み取りを行い、画像自体は、本実施の形態では、公知のＦＢＥ（Ｆｉｒｓｔ  Ｂｉｎａｒｉ  Ｅｎｃｏｄｉｎｇ）を用いて圧縮し、さらにコード化して、公知のネットワークプリンタプロトコルであるＬＰＲで相手機器に送信する。
【００８１】
配信先の機器が前記ＳＬＭで通信可能で、サーバ機器の場合、アドレスブック４０５１より、サーバーアドレス、サーバ内のフォルダの指定を判別し、リモートコピーアプリケーション４１００と同様に、スキャナにより読み取った２値画像を公知のＭＭＲ圧縮を用いて圧縮し、それを公知のＴＩＦＦ（Ｔａｇｇｅｄ  Ｉｍａｇｅ  Ｆｉｌｅ  Ｆｏｒｍａｔ）化し、ＳＬＭを通して、ネットワーク上のサーバ機器の特定のフォルダに格納する事が可能である。
【００８２】
また、デジタル複合機１００１では、相手機器であるサーバが公知のＪＰＥＧ圧縮された多値画像を処理可能だと判別した場合、前記の２値画像と同様に多値読み取りした画像を公知のＪＰＥＧ圧縮を用いて、やはり公知のＪＦＩＦ化し、ＳＬＭを通して、ネットワーク上のサーバ機器の特定のフォルダに格納する事が可能である。
【００８３】
配信先の機器が公知のＥ−ｍａｉｌサーバーである場合、アドレスブック４０５１に記載されたメールアドレスを判別し、スキャナにより読み取った画像２値画像を公知のＭＭＲ圧縮を用いて圧縮し、それを公知のＴＩＦＦ（Ｔａｇｇｅｄ  Ｉｍａｇｅ  Ｆｉｌｅ  Ｆｏｒｍａｔ）し、公知のＳＭＴＰ（Ｓｉｍｐｌｅ  Ｍａｉｌ  Ｔｒａｎｓｆｅｒ  Ｐｒｏｔｃｏｌ）４１５３を使用して、Ｅ−ｍａｉｌサーバーに送信する。その後の配信は、メールサーバ４５５０に従って実行される。
【００８４】
ウェブプルプリントアプリケーション４２００は、インターネットあるいはイントラネット上の各種ホームページの情報を読み出し、印刷する。
【００８５】
ウェブサーバアプリケーション４２５０はウェブクライアントからの要求に応じて、ウェブクライアントの自装置の管理情報を通知する。
【００８６】
次に、デジタル複合機１００１を含み、本発明の特徴でもあるリモートコピーが実行される画像形成システムを図２３に示す。図２３における画像形成システムは、上述のデジタル複合機１００１の他に、デジタル複写機２９０２、デジタル複写機２９０３で構成され、デジタル複合機１００１、２９０２、２９０３は、ローカルエリアネットワーク１０１０を介して接続され、通信可能である。
【００８７】
図２４はデジタル複写機１００１、２９０２、２９０３内のハードディスク２００４の記憶領域の割当て例を示す図である。ハードディスク２００４は、図２４に示すように、テンポラリ領域ａとメモリボックス領域ｂとに区切られている。テンポラリ領域ａは、さらに４つの領域に区切られている。Ａ１はローカルコピー時に電子ソート処理などのために画像を一時的に蓄えておく領域である。Ａ２は、リモートコピー受信プリントのために画像を一時的に蓄えておく領域である。Ａ３はＰＤＬ受信プリントのために画像を一時的に蓄えておく領域である。Ａ３はその他の機能で画像を一時的に蓄えておく領域である。メモリボックス領域ｂは、画像を登録しておくための領域である。
【００８８】
次にリモートプリントを行なう処理について説明する。図２７は、リモートプリントを行なう際の送信側のフローチャートである。ここで図２３のシステムで、デジタル複写機１００１のボックスメモリ領域にある画像データをデジタル複写機２９０３を指定してリモートプリントを行なうものとし、デジタル複写機１００１内のハードディスク２００４内のメモリボックス領域Ｂにあらかじめ画像データが文書データとして保存されているとする。
【００８９】
まず、デジタル複写機２９０３に対してリモートプリントジョブを実行することを通知し（Ｓ２７０１）、指定された文書データに必要な画像のサイズを求め、デジタル複写機２９０３へ送信する総画像サイズＰを計算する（Ｓ２７０２）。次にデジタル複写機２９０３に対して総ページサイズＰに必要な領域確保コマンドを発行する（Ｓ２７０３）。次にステップＳ２７０４へ進み、デジタル複写機２９０３からの領域確保コマンドの返答結果から領域が確保できたかどうか判断する。確保できた場合は、ハードディスク２００４上の領域Ｂから画像データを読み出して、デジタル複写機２９０３へ画像データを送信する（Ｓ２７０５）。確保できなかった場合は、操作部２０１２上のＬＣＤ表示部２０１３へ、図２６のようにメモリフルになる可能性があることを表示する（Ｓ２７０６）。次にステップＳ２７０７に進み、はいが押下された場合は、ハードディスク２００４上の領域Ｂから画像データを読み出して、デジタル複写機２９０３へ画像データを送信する（Ｓ２７０５）。いいえが押下された場合は、デジタル複写機２９０３に対して処理を中止することを通知して終了する（Ｓ２７０８）。
【００９０】
図２８は、リモートプリント受信側の処理のフローチャートである。
【００９１】
リモートプリント指示があると、指定されたジョブモードでジョブの投入指示を行う（Ｓ２８０１）。次に領域確保コマンドを受信して、親機から指定された総画像サイズＰを取得する（Ｓ２８０２）。次にＰサイズ分の領域がハードディスク２００４上のリモートプリント領域Ａ２にあるかどうか判断し（Ｓ２８０３）、領域があった場合は、領域Ａ２の中からＰサイズ分の領域Ｓを予約して確保する（Ｓ２８０４）。図２５はリモート領域Ａ２の中で領域Ｓを確保した状態を示している。次に親機へ対して指定されたサイズＰ分の領域の確保に成功したことを通知する（Ｓ２８０５）。次に親機からページデータを受信して（Ｓ２８０６）、領域Ｓへ記憶し（Ｓ２８０７）、プリント指示を行う（Ｓ２８０８）。
【００９２】
次に最後のページかどうかを判断し、最後のページでなければ、ステップＳ２８０６からＳ２８０９の手順を繰り返すことで、親機からの送信されてくるページデータを領域Ｓへ記憶すると同時にプリント指示を行うことができる。プリント処理が終了すると確保した領域Ｓを解放する（Ｓ２８１０）。
【００９３】
次にＳ２８０３でＰサイズ分の領域がハードディスク２００４上のリモートプリント領域Ａ２にないと判断された場合は、親機へ領域が確保できなかったことを通知し（Ｓ２８１１）、領域Ａ２上の予約確保されていない領域を使って処理をすることになる。この場合、親機からページデータを受信すると（Ｓ２８１２）、ページサイズＱを求め（Ｓ２８１３）、図２５に示すハードディスク２００４上のリモートプリント領域Ａ２の中のテンポラリ領域Ｐから、サイズＱ分の領域の確保を試みる（Ｓ２８１４）。次にステップＳ２８１４で、領域が確保できるかどうか判断し、確保できなかった場合は、メモリフルエラーで処理を中止する（Ｓ２８１９）。確保できた場合は、プリント指示を行ない（Ｓ２８１６）、最後のページかどうかを判断し（Ｓ２８１７）、最後のページでなければ、ステップＳ２８１２からＳ２８１７の手順を繰り返すことで、領域Ｐのメモリフルが発生しなければ、親機からの送信されてくるページデータを領域Ｐへ記憶すると同時にプリント指示を行うことができる。プリント処理が終了すると領域Ｐの中から確保した領域を解放する（Ｓ２８１８）。
【００９４】
図１４は、ある画像入力装置が有する、リモートプリントを行う対象となるリモートプリンタを選択するリモートプリンタ選択画面５００１である。リモートプリンタ選択画面中のリモートプリンタ一覧５００２には、前記画像入力装置がリモートプリンタとして選択可能なリモートプリンタの形態と状況、名称が表示される。リモートプリンタの形態は、アイコンで示されており、アイコンのパターンは、フィニッシャやペーパーデッキの有無、ネットワーク接続されているかによって異なる。リモートプリンタ状況は、ネットワーク接続され、リモートプリンタとして使用可能な状態であるかが示される。ユーザは、リモートプリンタ名称のいずれかを押下することによって使用するリモートプリンタを選択可能である。選択されたリモートプリンタ名称は反転表示される。上スクロールキー５００３と下スクロールキー５００４を押下することによって、リモートプリンタ一覧がスクロールされる。戻るキー５００６を押下すると、リモートプリンタ一覧にて選択されたリモートプリンタがリモートプリントの対象として設定される。
【００９５】
図１５は、リモートプリンタを登録するリモートプリンタ登録画面５００８である。リモートプリンタ登録画面は操作部のユーザモードキーを押下して不表示のユーザモード画面を表示し、リモートプリンタ登録キーをさらに押下することで表示される。リモートプリンタを登録するには、ＩＰアドレスキー５００９を押下する。ＩＰアドレスキーが押下されると、不図示のテンキーを用いてＩＰアドレスを入力できる。閉じるキー５０１０を押下することによって、画像形成装置内の不揮発性メモリにリモートプリンタのＩＰアドレスが追加保持される。
【００９６】
次に、本発明に関わるローカルプリント中に何らかのトラブルによってローカルプリンタで出力できなくなった場合の例について説明する。
【００９７】
図１６はローカルプリント中に紙無しになった場合に操作部に表示される紙無し画面５０２０である。図１６中の５０２１は、用紙が格納された各カセットを示しており、そのカセットにセットされている用紙サイズや量が表示されている。図１６では、カセット３にセットされたＢ４を給紙しようとしたが、カセット３にはＢ４が一枚もなく給紙できない状態を示している（カセット３のキーが反転表示され、「用紙がありません」のメッセージが表示されている）。５０２２は本発明に関わるリモート振替キーである。リモート振替キーは図１５のリモートプリンタ登録画面からリモートプリンタが１台以上登録されている場合に表示される。リモート振替キーを押下することにより、後述するリモート振替画面が表示され、リモートプリンタへの代行出力を指定することができる。リモート振替キーを押下せず、紙無し用紙を補給した場合もしくは他のカセットを選択した場合は紙無し画面は非表示となり不図示の基本画面に戻ってローカルプリントを継続する。
【００９８】
図１７はローカルプリント中にジャムが発生した場合に操作部に表示されるジャム画面５０３０である。ジャム画面中にはジャムが発生したことを通知するメッセージや本体のどの部分でジャムが発生したかを示す絵が表示される。５０３１は本発明に関わるリモート振替キーである。リモート振替キーは図１５のリモートプリンタ登録画面からリモートプリンタが１台以上登録されている場合に表示される。リモート振替キーを押下することにより、後述するリモート振替画面が表示され、リモートプリンタへの代行出力を指定することができる。リモート振替キーを押下せず、ジャムを解除した場合はジャム画面は非表示となり不図示の基本画面に戻ってローカルプリントを継続する。
【００９９】
図１８はローカルプリント中にトナー切れが発生した場合に操作部に表示されるトナー切れ画面５０４０である。トナー切れ画面中にはトナー切れが発生したことを通知するメッセージやトナー補充の方法を示す絵が表示される。５０４１は本発明に関わるリモート振替キーである。リモート振替キーは図１５のリモートプリンタ登録画面からリモートプリンタが１台以上登録されている場合に表示される。リモート振替キーを押下することにより、後述するリモート振替画面が表示され、リモートプリンタへの代行出力を指定することができる。リモート振替キーを押下せず、トナーを補給した場合はトナー切れ画面は非表示となり不図示の基本画面に戻ってローカルプリントを継続する。
【０１００】
図１９は、図１６〜図１８でリモート振替が選択された場合に表示されるリモート振替設定画面５０５０の例である。リモート振替設定画面では、リモートプリンタ選択キー５０５１を押下することにより、図１４で説明したリモートプリンタ選択画面５００１が表示され、振替先のリモートプリンタを指定できる。そして、リモートプリンタで振替プリントする内容を５０５２もしくは５０５３で設定できる。５０５２のキーを押下するとジョブの先頭からプリントし直し、５０５３のキーを押下するとローカルプリントされていない残りの画像データをプリントする。５０５２のキーと５０５３のキーは同時に設定できないものとする。振替先のリモートプリンタとプリント内容の設定がなされた場合、ＯＫキー５０５５が押下できる状態になり、ＯＫキー５０５５を押下するとリモートプリントが開始される。閉じるキー５０５４を押下した場合は、リモート振替設定画面の前に表示されていた各アラーム（用紙なし、ジャム、トナー切れ）の画面へと戻る。
【０１０１】
次に、本発明におけるリモート振替動作に関するフローについて説明する。図２０はリモート振替動作に関するフローを示す図である。
【０１０２】
まず、Ｓ１０００１にて、原稿をスキャナにセットしローカルコピーを開始する。次にＳ１０００２にて、ローカルプリント中に紙無しやジャム、トナー切れなどのアラームが発生したかどうかを判別する。アラームが発生していない場合はＳ１０００３へ進み、ローカルプリントが終了したかどうかを判別する。Ｓ１０００３にて、まだプリントされていない画像データがある場合はプリントを継続し、Ｓ１０００２へ戻る。アラームが発生した場合は、図１６から図１８で示したようなアラーム画面のうち該当する画面を表示してＳ１０００４に進み、動作中のローカルプリントがローカルコピーに属するものであるかどうかを判別する。ローカルコピーに属するローカルプリントでない場合は、Ｓ１０００６へ進んで該アラームが解除されたかどうかを判別する。該アラームが解除された場合はＳ１０００７へ進んでローカルプリントを再開し、Ｓ１０００２へと戻る。Ｓ１０００４にて、ローカルコピーに属するローカルプリントであると判別された場合は、Ｓ１０００５へと進む。Ｓ１０００５では、リモート振替するかどうかが判別される。すなわち、リモートプリンタが登録されていない場合はリモート振替できないのでＳ１０００６へ進み、リモートプリンタが登録されているが使用者によって該アラームの解除によってリモート振替を選択されない場合もＳ１０００６に進む。リモートプリンタが登録されており、かつ、該アラームの画面にてリモート振替すると選択された場合は、Ｓ１０００８へ進む。Ｓ１０００８では、リモート振替設定が行われたかどうかを判別する。すなわち、図１９に例を示したリモート振替設定画面にて、振替出力先のリモートプリンタが選択され、さらに、振替内容（ジョブの先頭から全部をプリントするのか、未プリント画像データからプリントするのか）が設定され、ＯＫキーが押下されたどうかを判別する。振替設定がなされた場合は、Ｓ１０００９へ進んで、Ｓ１０００８にて選択したリモートプリンタへ画像データを送信してプリント実行される。Ｓ１０００８にて振替設定がなされず、図１９に示すような閉じるキーが押下された場合は、Ｓ１０００５へと戻る。
【０１０３】
次に、本発明におけるジョブ一覧画面６００１を図２１に示す。
【０１０４】
操作部から不図示のジョブ一覧キーを押下すると、プリントを実行したジョブ結果を示すジョブ一覧画面が表示される。ジョブ一覧画面では６００２に示すような項目が表示される。図２１の例では、ジョブを受付時に割り当てられるユニークなジョブ番号とジョブを受け付けた時間、原稿枚数と部数、出力先デバイス、プリント結果等が表示される。例えば、受付番号０００１のジョブは、６／１の１０：００にジョブを受け付け、ローカルプリンタで原稿１枚＊２部を正常出力したと意味である。受付番号０００３のジョブは、６／２の０９：３０にジョブを受け付け、ローカルプリンタとリモートプリンタとで原稿１枚＊１４部を出力しようとして、ローカルプリンタ結果はＮＧだったが、リモートプリンタ結果はＯＫだったという意味である。さらに、受付番号０００６のジョブは、６／５の１４：００にジョブを受け付け、リモートプリンタで原稿１枚＊１部を出力できなかったという意味である。このように、本発明の第一の目的を達成する方法の例として、一つのジョブ一覧画面内でローカルプリント・リモートプリント・リモート振替プリントの各ジョブを用意に分類できるようにしている。さらに、例えば、６００７が示すようなジョブ欄を押下すると、そのジョブ欄が反転表示され、反転表示された状態で詳細情報キー６００３を押下すると図２２に示すジョブ詳細画面が表示される。また、上スクロールキー６００４や下スクロールキー６００５を押下することによって、ジョブ一覧画面に表示されるジョブ欄をスクロール表示できる。閉じるキー６００６を押下すると、ジョブ一覧画面が表示される前の画面に戻る。
【０１０５】
図２２は、ジョブ一覧画面６００１内でジョブを選択し、詳細情報キー６００３を押下した場合に表示されるジョブ詳細画面６０１０である。ジョブ詳細画面では、選択されたジョブに関する詳細情報が表示される。詳細情報の項目は、例えば、６０１１にあるような、開始時間、終了時間、出力デバイス、原稿枚数・部数、プリント結果などがある。そして、本発明における第二の目的を達成するための例として、ローカルプリンタとリモートプリンタでのジョブ詳細を表現するために、ローカルプリンタでの詳細情報を６０１２に表示し、リモートプリンタでの詳細情報を６０１３に表示している。出力デバイスがローカルプリンタのみの場合は６０１２のみ表示され、出力デバイスがリモートプリンタのみの場合は６０１３のみが表示される。リモート振替したジョブのうち、ローカルプリントとリモートプリンタの両方でプリントした場合は６０１２と６０１３が同時に表示される。閉じるキー６０１４を押下すると、ジョブ一覧画面６００１に戻る。
【図面の簡単な説明】
【０１０６】
【図１】本発明の実施形態における画像形成システムのネットワークの全体構成を示す図である。
【図２】デジタル複合機１００１のハードウェア全体構成を表す図である。
【図３】デジタル複合機１００１を構成する画像入出力デバイスを表す図である。
【図４】操作部２０１２の構成を示す図である。
【図５】スキャナ画像処理部２０８０の構成を示す図である。
【図６】プリンタ画像処理部２０９０の構成を示す図である。
【図７】画像圧縮部２０４０の構成を示す図である。
【図８】画像回転部２０３０の構成を示す図である。
【図９】画像回転に関するデータ転送を示す図である。
【図１０】画像回転に関するデータの読み出し及び書き込みを説明する図である。
【図１１】デバイスＩ／Ｆ部２０２０の構成を示す図である。
【図１２】ソフトウェアの全体構成を示すソフトウエアブロック図である。
【図１３】画像の配信に関する組み込みアプリケーションブロックを表す図である。
【図１４】リモートプリンタ選択画面を示す図である。
【図１５】リモートプリンタ登録画面を示す図である。
【図１６】用紙無し画面を示す図である。
【図１７】ジャム画面を示す図である。
【図１８】トナー切れ画面を示す図である。
【図１９】リモート振替設定画面を示す図である。
【図２０】本実施例のフローチャートである。
【図２１】本実施例のジョブ一覧画面である。
【図２２】本実施例のジョブ詳細画面である。
【図２３】本実施形態においてリモートコピーが実行される画像形成システムを説明する図である。
【図２４】ハードディスク２００４の記憶領域の割当て例を示す図である。
【図２５】ハードディスク２００４の記憶領域のリモートプリント用領域の割り当て例を示す図である。
【図２６】メモリフルになる可能性があることを表示する操作画面例の図である。
【図２７】リモートコピー送信時の処理を示すフローチャートである。
【図２８】リモートコピー受信時の処理を示すフローチャートである。
【符号の説明】
【０１０７】
１００１  デジタル複合機
１０１０  ローカルエリアネットワーク
２０１３  ＬＣＤディスプレイ
２０７０  スキャナ部
２０７２  原稿フィーダ
２０７３  トレイ
２０９５  プリンタ部
２９０２  デジタル複写機
２９０３  デジタル複写機
【図１】
2006196975.tif 000003
【図２】
2006196975.tif 000004
【図３】
2006196975.tif 000005
【図４】
2006196975.tif 000006
【図５】
2006196975.tif 000007
【図６】
2006196975.tif 000008
【図７】
2006196975.tif 000009
【図８】
2006196975.tif 000010
【図９】
2006196975.tif 000011
【図１０】
2006196975.tif 000012
【図１１】
2006196975.tif 000013
【図１２】
2006196975.tif 000014
【図１３】
2006196975.tif 000015
【図１４】
2006196975.tif 000016
【図１５】
2006196975.tif 000017
【図１６】
2006196975.tif 000018
【図１７】
2006196975.tif 000019
【図１８】
2006196975.tif 000020
【図１９】
2006196975.tif 000021
【図２０】
2006196975.tif 000022
【図２１】
2006196975.tif 000023
【図２２】
2006196975.tif 000024
【図２３】
2006196975.tif 000025
【図２４】
2006196975.tif 000026
【図２５】
2006196975.tif 000027
【図２６】
2006196975.tif 000028
【図２７】
2006196975.tif 000029
【図２８】
2006196975.tif 000030